(57)【特許請求の範囲】
【請求項１】
平面上に広がる設備群等の各種情報を図形化とグループ分けしかつグループ毎に色別表示する図形表示装置において、
前記各グループの隣接関係を示す隣接関係データと、グループ別の表示色を設定する色番号データとを含む設備情報を格納する記憶装置と、この記憶装置に格納する前記隣接関係データと色番号データを使用して隣接するグループ毎に配色を自動決定する処理装置を備え、
前記処理装置による前記配色の自動決定は、
前記記憶装置から表示色が未決定のグループの１つを検索する過程（Ｓ３）と、
前記検索した表示色が未決定のグループに隣接するグループを前記隣接関係データから抽出し、この隣接するグループのうち、前記表示色が既に決定しているグループを表示色決定済みグループとして前記記憶装置から全て検索する過程（Ｓ４）と、
前記表示色決定済みグループの全ての表示色と比較し、前記表示色が未決定のグループに使用する表示色の色番号が未使用か否かをチェックする過程（Ｓ５）と、
前記表示色が未決定のグループに使用する表示色の色番号が未使用であれば該色番号を前記表示色が未決定のグループの表示色の色番号として決定する過程（Ｓ６〜Ｓ９）と、
前記表示色が未決定のグループに使用する表示色の色番号が使用済みであるときは当該色番号とは異なる色番号に変更して前記表示色が未決定のグループの表示色の色番号として決定する過程（Ｓ１０〜Ｓ１３）と、
を有することを特徴とする配色決定方法。
【発明の詳細な説明】
【０００１】
【産業上の利用分野】
本発明は、配電系統網など、平面上に広がる設備群をグループ分けと図形化し、かつグループ毎に色別表示する図形表示装置に係り、特に図形の配色決定方法に関する。
【０００２】
【従来の技術】
平面上に二次元的に広がる配電系統網や水道・ガス管網、鉄道網、河川、道路など、面的に情報管理を必要とする設備群を図形化して表示するには、設備情報をグループ別に分類し、さらに色分けや模様をつけることにより分類する。
【０００３】
図３は、グループ分けの模式図を示し、設備群を面的にグループ１〜Ｎにグループ分けして分類する。このグループ分けは、有限の領域を持ち、他の複数グループと接しており、かつ領域的に重複しないものである。
【０００４】
また、各グループ内に表示する記号（〇、●など）はグループに所属する情報を示す。
【０００５】
図４は、配電系統網の設備群を図形化及びグループ化して表示する例であり、破線ブロックにより配電線別のグループを示し、開閉器や遮断機を図形化して示す。
【０００６】
この配電系統網において、配電線設備の運転管理上、配電線（グループ）単位に識別する必要がある。この識別のため配電線単位に色分けをすることで分類することが多い。この配電線単位の配色決定は、予め人が指定している。
【０００７】
【発明が解決しようとする課題】
配電系統網など、設備群が広大な領域に敷設され、面的に連続する設備情報を表示する図形表示装置において、隣接するグループを異なる配色とするグループ別の配色を人が決定するには、多くの労力を必要とするし、多くの時間を必要とする。
【０００８】
本発明の目的は、設備群のグループ配色を自動的に決定する方法を提供することにある。
【０００９】
【課題を解決するための手段】
本発明は、前記課題の解決を図るため、平面上に広がる設備群等の各種情報を図形化とグループ分けしかつグループ毎に色別表示する図形表示装置において、
前記各グループの隣接関係を示す隣接関係データと、グループ別の表示色を設定する色番号データとを含む設備情報を格納する記憶装置と、この記憶装置に格納する前記隣接関係データと色番号データを使用して隣接するグループ毎に配色を自動決定する処理装置を備え、
前記処理装置による前記配色の自動決定は、
前記記憶装置から表示色が未決定のグループの１つを検索する過程と、
前記検索した表示色が未決定のグループに隣接するグループを前記隣接関係データから抽出し、この隣接するグループのうち、前記表示色が既に決定しているグループを表示色決定済みグループとして前記記憶装置から全て検索する過程と、
前記表示色決定済みグループの全ての表示色と比較し、前記表示色が未決定のグループに使用する表示色の色番号が未使用か否かをチェックする過程と、
前記表示色が未決定のグループに使用する表示色の色番号が未使用であれば該色番号を前記表示色が未決定のグループの表示色の色番号として決定する過程と、
前記表示色が未決定のグループに使用する表示色の色番号が使用済みであるときは当該色番号とは異なる色番号に変更して前記表示色が未決定のグループの表示色の色番号として決定する過程と、
を有することを特徴とする。
【００１０】
【作用】
各グループの隣接関係データを利用し、隣接するグループに使用されている表示色を検索し、この検索された表示色と異なる色番号の表示色を自動的に検索・決定する。
【００１１】
【実施例】
図１は、本発明の一実施例を示す自動配色決定処理装置を示す。補助記憶装置１は、隣接するグループ毎に配色を決定するために必要なグループの隣接関係を示すデータを格納する。
【００１２】
記録出力装置２は、自動的に配色決定されたデータに従って図形情報を記録・出力する。
【００１３】
表示出力装置３は、自動的に配色決定されたデータに従って図形情報を表示・出力する。
【００１４】
処理装置４は、補助記憶装置１のグループ隣接関係データなどの設備情報から隣接するグループ毎に配色を自動決定する。
【００１５】
図２は、処理装置４による自動配色決定処理フローを示し、配電系統網の図形表示に適用した場合である。
【００１６】
配色を決定するための色番号ｉを初期値１とし（ステップＳ１）、全配電線の表示色の決定処理が終了するまで繰り返し処理を行う（ステップＳ２）。
【００１７】
まず、表示色が未決定の配電線を１つ検索する（ステップＳ３）。この表示色未決定の配電線に隣接する配電線を補助記憶装置１の参照で抽出し、既に表示色が決定されている配電線を全て検索する（ステップＳ４）。
【００１８】
表示色が決定している隣接配電線の表示色のうち、色番号ｉが未使用か否かをチェックし（ステップＳ５）、未使用であれば対象配電線の表示色を色番号ｉに決定する（ステップＳ６）。
【００１９】
この後、色番号ｉが最大の配色数ｊか否かをチェックし（ステップＳ７）、ｉがｊに一致しなければ次の色番号ｉをｉ＋１にして次の配電線についての表示色決定処理に戻る（ステップＳ８）。また、ｉがｊに一致するときは色番号ｉを初期値１に戻して次の配電線についての表示色決定処理に戻る（ステップＳ９）。
【００２０】
処理Ｓ５のチェックにおいて、隣接配電線に表示色ｉを既に使用しているとき、全表示色が使用済みか否かをチェックし（ステップＳ１０）、使用済みでないときは配電線表示色の色番号ｉが最大の配色数ｊか否かをチェックし（ステップＳ１１）、ｉがｊに一致しなければ次の色番号ｉをｉ＋１に変更して隣接配電線の表示色に一致するかのチェック処理Ｓ５に戻る（ステップＳ１２）。また、ｉがｊに一致するときは色番号ｉを初期値１に戻して処理Ｓ５に戻る（ステップＳ１３）。
【００２１】
この処理ループでは、当該配電線の表示色が未決定のため、同じ配電線についての表示色をその色番号ｉを変えて隣接配電線の表示色と一致するか否かのチェック処理に戻り、当該配電線の表示色を決定する。また、処理Ｓ１０において、全色使用済みの場合は対象配電線と隣接する配電線とが同じ表示色になることがあり得るが、この現象は最大の配色数ｊを多くすることで殆ど発生しない。
【００２２】
なお、実施例では配電系統網に適用する場合を示すが、他のガス・水道系統網など平面的に広がる設備群で構成されるシステムをグループ分けしてかつ色別に表示する場合に適用して同等の作用効果を得ることができる。
【００２３】
【発明の効果】
以上のとおり、本発明によれば、平面上に広がる設備群等の各種情報を図形化とグループ分けしかつグループ毎に色別表示する図形表示装置において、各グループの隣接関係データを利用し、隣接するグループに使用されている表示色を検索し、この検索された表示色と異なる色番号の表示色を自動的に検索・決定するようにしたため、配電系統網などの図形表示に隣接するグループで互いに異なる色表示にした配色決定を自動的にすることができ、操作員による設定に比べて操作員の負担を大幅に軽減し、また短時間で正確な配色決定ができる。
【図面の簡単な説明】
【図１】本発明の一実施例を示す装置構成図。
【図２】実施例における自動配色決定処理フロー。
【図３】各種情報のグループ分け模式図。
【図４】配電系統網の図形化とグループ分けの表示例。
【符号の説明】
１…補助記憶装置
２…記録出力装置
３…表示出力装置
４…処理装置
【図１】
0003738461.tif 000002
【図２】
0003738461.tif 000003
【図３】
0003738461.tif 000004
【図４】
0003738461.tif 000005